(57)【要約】円筒容器用の閉鎖器（１０）は、閉鎖器を完全に閉鎖した状態に動かすように構成された少なくとも１つの保持手段（３０）を備え、保持手段は、所定の作動力またはトルクを有して閉鎖器を適切に閉鎖し、閉鎖器は、以下のフェイルセーフ故障検出機能：保持手段の少なくとも１つの構成要素の負荷破壊力よりも低く、閉鎖器を適切に閉鎖するための所定の作動力またはトルクよりも高い所定の負荷破壊力を有するメカニカルヒューズ（２０）、または、閉鎖器が完全に閉鎖した状態でないときに、閉鎖器の圧力警告ロック穴（１９）と少なくとも部分的に重なり、閉鎖器が完全に閉鎖した状態であるときに、圧力警告ロック穴を完全に露出させるような大きさであり、これにより圧力警告ロック（１７）の挿入を許容するブロック（４０）のうちの一方または両方を備える。【選択図】図６
2021526195.tif 000002
【特許請求の範囲】
【請求項１】
円筒容器用の閉鎖器（１０）であって、
完全に閉鎖した状態に前記閉鎖器を適切に固定するための保持手段（３０）であって、前記保持手段は、所定の作動力を有する、前記保持手段（３０）と、
前記保持手段と連通している少なくとも１つのメカニカルヒューズ（２０）であって、前記少なくとも１つのメカニカルヒューズは、前記閉鎖器の別の構成要素の負荷破壊力を下回り、前記所定の作動力を上回る所定の負荷破壊力を有する、前記少なくとも１つのメカニカルヒューズ（２０）と
を備える、閉鎖器（１０）。
【請求項２】
前記メカニカルヒューズはシャーピン（２１）である、請求項１に記載の閉鎖器。
【請求項３】
前記保持手段はハンドルを備える、請求項１に記載の閉鎖器。
【請求項４】
前記保持手段は、少なくとも一対のクランプリング（３１）を備える、請求項１に記載の閉鎖器。
【請求項５】
前記所定の作動力は、前記少なくとも一対のクランプリングの重量を上回る、請求項４に記載の閉鎖器。
【請求項６】
圧力警告ロック穴（１９）と、
前記閉鎖器が前記完全に閉鎖した状態でないときに、前記圧力警告ロック穴と少なくとも部分的に重なり、前記閉鎖器が前記完全に閉鎖した状態であるときに、前記圧力警告ロック穴を完全に露出させるような大きさであるブロック（４０）と
をさらに備える、請求項１に記載の閉鎖器。
【請求項７】
円筒容器用の閉鎖器（１０）であって、
完全に閉鎖した状態に前記閉鎖器を適切に固定するための保持手段（３０）であって、前記保持手段は、所定の作動力を有する、前記保持手段（３０）と、
圧力警告ロック穴（１９）と、
前記閉鎖器が前記完全に閉鎖した状態でないときに、前記圧力警告ロック穴と少なくとも部分的に重なり、前記閉鎖器が前記完全に閉鎖した状態であるときに、前記圧力警告ロック穴を完全に露出させるような大きさであるブロック（４０）と
を備える、閉鎖器（１０）。
【請求項８】
前記ブロックはブラケット（４１）を備える、請求項７に記載の閉鎖器。
【請求項９】
前記ブロックは、圧力警告ロックのための位置合わせ手段（３９）を備えるプレート（４３）を備える、請求項７に記載の閉鎖器。
【請求項１０】
前記保持手段はハンドル（３３）を備える、請求項７に記載の閉鎖器。
【請求項１１】
前記保持手段は、少なくとも一対のクランプリングを備える、請求項１０に記載の閉鎖器。
【請求項１２】
前記所定の作動力は、前記少なくとも一対のクランプリングの重量よりも大きい、請求項１１に記載の閉鎖器。
【請求項１３】
前記保持手段はラチェット機構（５１）を備える、請求項７に記載の閉鎖器。
【請求項１４】
前記保持手段と連通している少なくとも１つのメカニカルヒューズ（２０）であって、前記少なくとも１つのメカニカルヒューズは、前記閉鎖器の別の構成要素の負荷破壊力よりも低く、前記所定の作動力よりも高い所定の負荷破壊力を有する、前記少なくとも１つのメカニカルヒューズ（２０）をさらに備える、請求項７に記載の閉鎖器。
【請求項１５】
前記メカニカルヒューズはシャーピン（２１）である、請求項１４に記載の閉鎖器。
【発明の詳細な説明】
【技術分野】
【０００１】
本開示は、例えば、開始および回収作業時にピグトラップへのアクセスを提供するために使用されるもののようなパイプラインおよび容器の閉鎖器の分野に関するものである。
【背景技術】
【０００２】
例として、ピグトラップは、パイプの端部に取り付けられるように適合されたカラーと、パイプの端部を開閉するためのドアと、ドアをカラーに保持するための手段と、ドアがカラーに保持されているときにドアをカラーに密閉するための手段とを含む。保持手段は、バレルに対してドアを保持するカラーバレルまたはクランプの内部に展開するセグメント化されたプレートを含むことができる。Ｌｏｌｌｉｓらの特許文献１は、クランプを使用する閉鎖器の一例を提供している。
【先行技術文献】
【特許文献】
【０００３】
【特許文献１】米国特許第４，２３７，９３６号明細書
【特許文献２】米国特許第４，５１５，２８７号明細書
【発明の概要】
【課題を解決するための手段】
【０００４】
円筒容器用の閉鎖器の実施形態は、閉鎖器を完全に閉鎖した状態に動かすように構成された少なくとも１つの保持手段を含み、保持手段は、所定の作動力またはトルクを有して閉鎖器を適切に閉鎖し、閉鎖器は、以下のフェイルセーフ破壊検出機能：保持手段の少なくとも１つの構成要素の負荷破壊力を下回り、所定の作動力またはトルクを上回る所定の負荷破壊力を有するメカニカルヒューズ、または、閉鎖器が完全に閉鎖した状態でないときに、閉鎖器の圧力警告ロック穴と少なくとも部分的に重なり、閉鎖器が完全に閉鎖した状態であるときに、圧力警告ロック穴を完全に露出するような大きさであるブロックのうちの一方または両方を含む。
【０００５】
保持手段は、非作動または開放位置と、作動または完全に閉鎖した位置との間を移動する。実施形態では、保持手段は、ドアを閉鎖および密閉状態に保持するように、閉鎖器のドアの周りに配置された一対のクランプリングを含むことができる。所定の作動力は、クランプリングの重量を上回る。
【図面の簡単な説明】
【０００６】
【図１】完全に閉鎖した状態に閉鎖器を適切に閉鎖する保持手段を備えた従来技術の閉鎖器の等角図である。保持手段は、クランプリングに接続されたリンケージを備えたハンドルを含む。
【図２】保持手段の作動の前に閉鎖器の底部に妨害物または破片を示す、図１の従来技術の閉鎖器である。閉鎖器を共に保持するピン「Ｐ」は、弱いリンクとして設計されていない。
【図３】妨害物または破片がある場合、または閉鎖器を適切に閉鎖するために過剰な力が必要な場合に、閉鎖器の少なくとも１つの他の構成要素の故障を防ぐことができるメカニカルヒューズを含む、本開示の閉鎖器の一実施形態の等角図である。
【図４】図３のメカニカルヒューズの拡大断面図である。
【図５】圧力警告ロックを示す従来技術の閉鎖器の背面等角図とである。保持手段が適切に閉鎖されていなくても、圧力警告ロックを取り付けることができる場合がある。
【図６】閉鎖器が完全に閉鎖した状態にないときに圧力警告ロックが挿入されるのを防ぐブロックを含む、本開示の閉鎖器の一実施形態の背面等角図である。ブロックは、閉鎖器を適切に閉鎖するように保持手段が完全には作動していない場合に、圧力警告ロック穴を少なくとも部分的に覆うような大きさのブラケットとすることができる。ブロックは、閉鎖器が完全に閉じてブロックが圧力警告ロック穴をクリアにするまで、圧力警告ロック穴に挿入できない圧力警告ロックとの干渉を示すために図示されている。
【図７】図６のブロックの拡大図である。
【図８】ラチェット式の閉鎖機構およびブロックを含む本開示の閉鎖器の一実施形態の背面等角図である。ブロックは、閉鎖器がまだ適切に閉鎖していない場合に、少なくとも部分的に圧力警告ロック穴を覆う延長プレートを含むことができる。プレートは、圧力警告ロックとの干渉を示すように図示されている。
【図９】図８のブロックの拡大図である。
【発明を実施するための形態】
【０００７】
閉鎖器の実施形態は、メカニカルヒューズ、圧力警告ロックブロック、またはメカニカルヒューズと圧力警告ロックブロックとの組み合わせを含む。実施形態は、Ｌｏｌｌｉｓらに特許文献１において、またはＢａｕｄｏｕｘらに特許文献２において開示されているものと同一または同様の閉鎖器に適合させることができ、それらの内容は、参照により本明細書に組み込まれる。
【０００８】
まず図３および図４を参照すると、本開示の実施形態では閉鎖器１０は、閉鎖器の保持手段３０の少なくとも１つの構成要素の負荷破壊力を下回り、保持手段３０に打ち克つ所定の作動力またはトルクを提供する力を上回る所定の負荷破壊力を有する少なくとも１つのメカニカルヒューズ２０を含む。いくつかの実施形態では、メカニカルヒューズ２０は、シャーピン２１またはその均等物を含む。保持手段３０は、１つ以上のクランプリング３１含むことができる。ハンドル３３は、対応する突起３５によってクランプリング３１に接続することができ、その少なくとも１つはメカニカルヒューズ２０を含む。
【０００９】
メカニカルヒューズ２０の負荷破壊力は、完全に閉鎖した位置に閉鎖器１０を適切に閉鎖するための保持手段３０の所定の作動力を上回るが、保持手段３０の別の構成要素の負荷破壊力を下回る。実施形態では、他の構成要素は、ラグ３５などの溶接された構成要素とすることができるが、これに限定されない。所定の作動力は、保持手段３０の重量に打ち克つ力とすることができる。保持手段３０は、一対のクランプリング３１を含むことができ、所定の作動力は、一対のクランプリング３１の重量を上回る。
【００１０】
実施形態では、メカニカルヒューズ２０は、操作者に見えるように、閉鎖器１０の上端または上部１１に配置することができる。いくつかの実施形態では、メカニカルヒューズ１０は、圧力警告ロック１７に近接した閉鎖器１０の上端１１に配置することができる。保持手段３０がクランプリング３１を含む場合、クランプリング３１の共通の枢動点３７（例えば、ピンまたはその均等物）を、閉鎖器の底端または底部１５に向かって配置することができる。閉鎖器１０の底部１５における妨害物または破片「Ｂ」が、閉鎖時に保持手段３０を作動させるために印加される力の増大を引き起こす（が、依然として共通の枢動点３７などの別の構成要素の破壊力を下回る）場合、メカニカルヒューズ２０は破壊される。破壊されたメカニカルヒューズ２０は、簡単に検出でき、操作者に見える。ヒューズ２０の計画された破壊は、保持手段３０を閉じるために必要とされる過度の力による破壊から、閉鎖器の少なくとも１つの他の構成要素を保護する。
【００１１】
ここで、図６および図７を参照すると、本開示の閉鎖器１０の実施形態では、ブロック４０は、圧力警告ロック１７と干渉し、それによって閉鎖器１０が開放されているか、または完全に閉鎖していない状態である場合に、ロック１７が圧力警告ロック穴１９に挿入されるか、または設置されるのを防ぐ。ブロック４０は、閉鎖器１０が完全に閉鎖した状態にあるときに、圧力警告ロック１７が穴１９に設置され得るような大きさとすることができる。圧力警告ロック１７は、ピン２３を含むことができる。保持手段３０は、ハンドル３３によって、または当技術分野で知られている種類のラチェット式閉鎖機構５１によって作動させることができる。例えば、図８および図９を参照。
【００１２】
ここで、図８および図９を参照すると、いくつかの実施形態では、ブロック４０は、保持手段３０のリンケージ３７に接続されたブラケット４１を含む。他の実施形態では、ブロック４０は、圧力警告ロック１７を穴１９と位置合わせさせた少なくとも１つのプレート４３を含む。ブラケット４１は、圧力警告ロック１７のための位置合わせ手段３９含むことができる。従来技術の閉鎖器とは異なり、保持手段３０が開放されている、または完全に閉鎖していない場合に、プレート４３は、圧力警告ロック穴１９の少なくとも一部を覆い、圧力警告ロック１７が穴１９に挿入されることを防ぐように、プレート４３は、長さが延長される。保持手段３０が完全に作動し、閉鎖器１０が適切に閉鎖されると、穴１９は完全に露出する。いくつかの実施形態では、保持手段３０は、１つ以上のクランプリング３１を含む。
【００１３】
閉鎖器の実施形態を説明してきたが、閉鎖器は、以下の特許請求の範囲から逸脱することなく変更することができる。請求項には、列挙された要素に権利が与えられている均等物の全範囲に対して権利が与えられる。
【図１】
2021526195.tif 000003
【図２】
2021526195.tif 000004
【図３】
2021526195.tif 000005
【図４】
2021526195.tif 000006
【図５】
2021526195.tif 000007
【図６】
2021526195.tif 000008
【図７】
2021526195.tif 000009
【図８】
2021526195.tif 000010
【図９】
2021526195.tif 000011
【国際調査報告】
2021526195.tif 000012
2021526195.tif 000013